(57)【要約】【課題】画像形成装置本体に対して着脱可能であり、当該画像形成装置本体の操作を行うための操作機能を有する本体操作パネルが装着された画像形成装置について、操作パネルの有効利用により画像形成装置のコストダウンを図り、且つ、操作パネルと代替されるパネルカバーの実用価値を高めること。【解決手段】画像形成装置本体１には付属操作パネル４を備えた画像形成に関連する付帯ユニット（読取装置２）を増設することが可能であり、この付属操作パネル４は付帯ユニット及び当該画像形成装置の操作を行うための操作機能を有しているものであるとき、画像形成装置本体１の本体操作パネル１−２の装着部位には、この本体操作パネル１−２に代えて、操作機能をもたないカバーパネルを着脱可能にした。【選択図】図３
2004302118.tif 000002
【特許請求の範囲】
【請求項１】
画像形成装置本体に対して着脱可能であり、当該画像形成装置本体の操作を行うための操作機能を有する本体操作パネルが装着された画像形成装置であって、この画像形成装置本体には付属操作パネルを備えた画像形成に関連する付帯ユニットを増設することが可能であり、この付属操作パネルは前記付帯ユニット及び当該画像形成装置の操作を行うための操作機能を有しているものであるとき、前記画像形成装置の前記本体操作パネル装着部位には、この本体操作パネルに代えて、操作機能をもたないカバーパネルを着脱可能にしていることを特徴とする画像形成装置。
【請求項２】
画像形成装置本体に対して着脱可能であり、当該画像形成装置本体の操作を行うための操作機能を有する本体操作パネル及び操作機能をもたないカバーパネルを当該画像形成装置本体の同一部位に互換性を持たせて装着可能としたことを特徴とする画像形成装置。
【請求項３】
請求項１又は２記載の画像形成装置において、
前記カバーパネルは、表側に凹形状部を複数有することを特徴とする画像形成装置。
【請求項４】
請求項３記載の画像形成装置において、
前記複数の凹形状部はそれぞれ大きさが異なっていることを特徴とする画像形成装置。
【請求項５】
請求項３又は４記載の画像形成装置において、
前記凹形状部又はその周辺に、前記凹形状部に収納される物体を表す絵が記されていることを特徴とする画像形成装置。
【請求項６】
請求項５記載の画像形成装置において、
前記絵は、当該カバーパネルと一体成形されていることを特徴とする画像形成装置。
【請求項７】
請求項５記載の画像形成装置において、
前記絵は、当該カバーに貼るデカルに描かれていることを特徴とする画像形成装置。
【請求項８】
請求項５乃至７の何れかにおいて、
前記イラストはクリップ又はステープルの針を表すものであることを特徴とする画像形成装置。
【請求項９】
画像形成装置本体に対して着脱可能であり、当該画像形成装置本体の操作を行うための操作機能を有する本体操作パネルと互換性を有し、操作機能をもたないカバーパネルであって、請求項３乃至８の何れかに記載されたカバーパネルの構成を具備していることを特徴とするカバーパネル。
【発明の詳細な説明】
【０００１】
【発明の属する技術分野】
本発明は、複写機、ファクシミリ、プリンタ等の画像形成装置に関し、特に操作パネルを具備した画像形成装置本体に対して、操作パネルを具備したユニットを増設可能としている画像形成装置等に関する。
【０００２】
【従来の技術】
画像形成装置本体に装備された画像形成装置本体の操作用パネルＡとは別の操作パネルＢを装備したユニットを当該画像形成装置に増設した場合、元々装着されていた操作パネルＡは使用されず、操作パネルＢに操作パネルＡの機能を共有させることにより、ユニット増設以後は操作パネルＢが使用されるようになる。
【０００３】
従来、上記ユニット増設後においては、画像形成装置及び上記ユニットの操作を兼用できる操作パネルＢが専ら使用され、操作パネルＡは使用されなくなる。このように、操作パネルＡは使用されないにも拘わらず画像形成装置本体に装着されたままにされていた。
【０００４】
これら、Ａ、Ｂ２つの操作パネルがあると、操作者は何れの操作パネルを用いるのか迷い、操作時に混乱を来たす。これを回避するために従来は、操作パネルＡにおける当該画像形成装置本体の状態表示する表示部分に目隠しシールを貼付したり、差別化を図るためにロゴの入ったデカルを貼ったりしていた。
【０００５】
しかし、上記のように不要となった操作パネルＡは装着されたまま、その上に目隠しシールを貼付することにより埋もれた状態のままとなり、コストアップの要因となっており、また差別化を図るために目隠しシールにロゴを入れても機能上は何ら向上することはなかった。
【０００６】
なお、操作パネルの一部を当該操作パネルに対して着脱自在な操作部ユニットで構成し、こうして着脱自在とすることで破損したり寿命に達したユニットだけを交換可能とし、また、操作部ユニットを再利用可能にしたり、操作部ユニットに代えて凹形状のダミーケースとし、このダミーケースをクリップケースとして使用する例がある（例えば、特許文献１参照）。
【０００７】
しかし、この特許文献１の技術は操作パネルの部分的な交換に関するものである。また、ダミーケースを利用した場合、収納可能な凹形状は一つしかなく収納物のイラスト等も配していないため、材質の異なる様々なものがダミーケース内に混在することになり、収納されたものを再利用または破棄する際には分別する作業が必要であった。
【０００８】
【特許文献１】
特開平０７−０９９５５３号公報
【０００９】
【発明が解決しようとする課題】
本発明の課題は、操作パネルの有効利用により画像形成装置のコストダウンを図り、且つ、操作パネルと代替されるパネルカバーの実用価値を高めることを課題とする。
【００１０】
【課題を解決するための手段】
本発明は、前記課題を達成するため以下の構成とした。
（１）．  画像形成装置本体に対して着脱可能であり、当該画像形成装置本体の操作を行うための操作機能を有する本体操作パネルが装着された画像形成装置であって、この画像形成装置本体には付属操作パネルを備えた画像形成に関連する付帯ユニットを増設することが可能であり、この付属操作パネルは前記付帯ユニット及び当該画像形成装置の操作を行うための操作機能を有しているものであるとき、前記画像形成装置の前記本体操作パネル装着部位には、この本体操作パネルに代えて、操作機能をもたないカバーパネルを着脱可能にした（請求項１）。
（２）．  画像形成装置本体に対して着脱可能であり、当該画像形成装置本体の操作を行うための操作機能を有する本体操作パネル及び操作機能をもたないカバーパネルを当該画像形成装置本体の同一部位に互換性を持たせて装着可能とした（請求項２）。
（３）．  （１）又は（２）記載の画像形成装置において、前記カバーパネルは、表側に凹形状部を複数有することとした（請求項３）。
（４）．  （３）記載の画像形成装置において、前記複数の凹形状部はそれぞれ大きさが異なっていることとした（請求項４）。
（５）．  （３）又は（４）記載の画像形成装置において、前記凹形状部又はその周辺に、前記凹形状部に収納される物体を表す絵が記されていることとした（請求項５）。
（６）．  （５）記載の画像形成装置において、前記絵は、当該カバーパネルと一体成形されていることとした（請求項６）。
（７）．  （５）記載の画像形成装置において、前記絵は、当該カバーに貼るデカルに描かれていることとした（請求項７）。
（８）．  （５）乃至（７）の何れかにおいて、前記絵はクリップ又はステープルの針を表すものとした（請求項８）。
（９）．  画像形成装置本体に対して着脱可能であり、当該画像形成装置本体の操作を行うための操作機能を有する本体操作パネルと互換性を有し、操作機能をもたないカバーパネルであって、前記（３）乃至（８）の何れかに記載されたカバーパネルの構成を具備していることとした（請求項９）。
【００１１】
【発明の実施の形態】
本発明は、本体操作パネルに代えて操作パネル機能（操作部や電装部品）を持たないカバーパネルを装着可能とすることにより装置のコストダウンを図り、なお且つカバーパネルに、クリップやステープルの針等を分別収納するという新たな機能を追加して、実用価値を高めるようにした点に特徴を有する。
【００１２】
［１］本発明が適用される画像形成装置本体及び付帯ユニット
図１により、プリンタ機能を有する画像形成装置の一例としてカラー画像形成装置本体の例を説明する。
【００１３】
このカラー画像形成装置本体１は、シート状媒体の一例である転写紙８を搬送する転写ベルト１５に沿って該転写ベルトの移動方向（搬送方向）上、上流側から順に、ドラム状をした複数の感光体Ｋ、Ｙ、Ｃ、Ｍが配列された、所謂タンデムタイプといわれるものである。
【００１４】
感光体Ｋは黒、感光体Ｍはマゼンタ、感光体Ｙはイエロー、感光体Ｃはシアン、の各画像を形成するもので、感光体まわりに配置されたプロセス部材からなる画像形成部は形成する画像の色が異なるだけで、内部構成は各画像形成部とも共通である。
【００１５】
転写ベルト１５は、その一端部が駆動回転させられる駆動ローラ１８、他端部が従動ローラ１９で支持され、また、他の従動ローラにより支持されている。
転写ベルト１５はエンドレスベルトからなり、駆動ローラ１８の回転に応じてと共に、矢印の向きに回転させられるようになっている。転写ベルト１５の下方には転写紙８が収納された給紙トレイ２０、２１が備えられている。さらに下に給紙トレイが設けられる場合もある。
【００１６】
例えば、給紙トレイ２０に収納された転写紙８のうち、最上位置にある転写紙８は、画像形成時に送り出されてレジストローラ２３で一旦待機させられ、感光体Ｋにおける画像形成とタイミングを合わせて送り出され、静電吸着により転写ベルト１５に吸着される。こうして転写ベルト１５に吸着された転写紙８は最初の感光体Ｍに搬送され、ここでマゼンタの画像が転写される。
【００１７】
転写ベルト１５の上側張設部分の裏側には転写装置５Ｍが配置されており、また、感光体Ｍに露光用の光Ｌを照射、走査して静電潜像を形成する手段として光走査装置１６が設けられている。光走査装置１６には、パソコンなど外部機器からの画像形成用のデータが制御部を介して入力され、それに基づいて光走査して感光体上に潜像を形成することができるようになっている。
【００１８】
カラー画像の画像形成に際し、感光体Ｍでは、感光体Ｍの周面が暗中にて帯電装置（図示されず）により一様に帯電された後、光走査装置１６からの黒画像に対応した露光用の光Ｌｂにより露光され、静電潜像が形成される。この静電潜像は、現像装置２４Ｍにおいてマゼンタトナーにより可視像化され、感光体Ｍ上にマゼンタのトナー像が形成される。
【００１９】
このトナー像は感光体Ｍと転写ベルト１５上の転写紙８とが接する位置、所謂転写位置で転写紙８と合致して転写装置５Ｍの働きにより転写紙８上に転写され、該転写紙８上に単色（マゼンタ）の画像が形成される。転写を終えた感光体Ｍは該感光体Ｍの周面に残留した不要なトナーがクリーニング装置２５Ｍにより除去され、次の画像形成に備えられる。
【００２０】
このようにして、感光体Ｍから単色（マゼンタ）を転写された転写紙８は、転写ベルト１５によって次の感光体Ｃに搬送される。感光体Ｃでは、上流側の感光体Ｍにおけると同様のプロセスにより感光体Ｃ上に形成されたシアンのトナー像が前記転写紙８上のマゼンタのトナー像に重ね転写される。
【００２１】
転写紙８はさらに次の感光体Ｙに搬送され、同様にして感光体Ｙ上に形成されたイエローのトナー像が転写紙８上に既に形成されているマゼンタ及びシアンのトナー像に重ね転写される。同様にしてさらに、次の感光体Ｋでは、黒のトナー像が重ね転写されて、フルカラーのカラー画像が得られる。
【００２２】
こうしてフルカラーの重ね画像が形成された転写紙８は、感光体Ｋを通過した後、転写ベルト１５から剥離されてから定着装置１７を通過する間に定着された後、排紙トレイ１４或いはトレイへ排紙される。
【００２３】
用紙のサイズ種類等が給紙トレイ２０、２１に無いものを用いるときには、一端部を支点として回動可能に構成された手差し給紙トレイ１３を起こして立ち上げ、この手差し給紙トレイ１３から転写紙を送ることができる。
【００２４】
両面画像形成モードが設定された場合には、転写紙８は、両面反転ユニット３０に送られて破線で示すようにスイッチバックされて画像面を下にして両面反転ユニット３０から両面搬送ユニット３２を経て再度感光体に送られてトナー像が転写されて裏面に画像形成がなされ、定着後、排紙トレイ１４等に排出される。
【００２５】
図１に示したカラー画像形成装置本体１には、図２に示すように、画像形成に関連する付帯ユニットとして読取装置２、また、後処理装置３等を増設することができる。この読取装置２はよく知られるように、圧板２−１で覆うことのでる原稿載置ガラス２−２と、この原稿載置ガラス２−２の下方に設けられた第１スキャナ２−３、第２スキャナ２−４、結像レンズ２−５、読み取り画像を電気的に記録するＣＣＤ基板２−６等からなる。本例では、原稿自動送り装置（所謂ＡＤＦ）も備えている。読取装置２においてＣＣＤ基板５４ｅに取り込まれた画像情報は、既に述べた光走査装置１６レーザー光源制御手段に送り、画像形成することができるようになっている。
【００２６】
また、本例では、図１に示したカラー画像形成装置本体１の左側部に、図２に示すように、画像形成に関連する付帯ユニットとして、後処理装置３を増設することができる。
【００２７】
後処理装置３は、カラー画像形成装置本体１に設けられた排紙コロ３４から排出された転写紙を受け入れることができるように入口３−１のレベルを合わせてある。後処理装置１の内部には、穴あけを行うパンチユニット３−２、ステープラー３−３等が配置されており、また、付帯する部材としてプレスタックトレイ３−４、ステープルトレイ３−５、分岐爪３−６、搬送ベルト３−７、３−８、送りローラ等がある。
【００２８】
送りローラ、分岐爪３−６等の働きにより、パンチユニット３−２或いはステープラー３−３を経由することにより処理された転写紙は送りローラ、搬送ベルト３−７等により、上トレイ３−９、下トレイ３−１０等に排出される。
【００２９】
［２］増設前の状態
先ず、増設前の状態、つまり画像形成装置本体１のみの構成について説明する。
【００３０】
画像形成装置本体１は、図１に示した増設前の状態、つまり、図２、図３に示すように読取装置２と後処理装置３を増設する前には、プリンタとして使用される。図１に示すように画像形成装置本体１のみの構成でプリンタとして使用される状態もとでは、図３に示すように、画像形成装置本体１の前上カバー１−１に取り付けられた本体操作パネル１−２によってプリンタの設定を変更したり、確認したりすることが可能である。
【００３１】
図１乃至図３に示した画像形成装置本体１の最上部には、前記したように、前上カバー１−１が設けられている。この前上カバー１−１だけを取り出して図４に示す。図４は、前上カバー１−１の図であり、図４（ａ）は正面図、図４（ｂ）は平面図である。
【００３２】
図３において、前上カバー１−１の上面部略中央部で操作パネル１−２が装着された部位に相当する位置には、図４に示すように矩形の開口部１−２ａが形成されている。
【００３３】
画像形成装置本体１において、この開口部１−２ａに、本体操作パネル１−２が装着されている。本体操作パネル１−２は、画像形成装置本体の一部をなす前上カバー１−１に形成された開口部１−１ａ対して着脱可能であり、当該本体操作パネル１−１の外形形状及び寸法は開口部１−１ａの外形形状及び寸法に合わせてある。よって、本体操作パネル１−２は開口部１−１ａに嵌合状に収めることができる。
【００３４】
本体操作パネル１−２の詳細を図５（ａ）、（ｂ）、（ｃ）、（ｅ）により説明する。図５は本体操作パネル１−２の４面図を示す。図５（ａ）は本体操作パネル１−２の正面図、図５（ｂ）は同上面図、図５（ｃ）は同下面図、図５（ｄ）は同左側面図である。
【００３５】
この本体操作パネル１−２には、図５（ａ）に示すように、搬送経路上にある転写紙を強制排紙する際に用いる押しボタンスイッチ３５、レジスト位置、画像濃度等のメニューを表示部３９に表示させるボタンスイッチ３６、データキャンセル等のリセット押しボタンスイッチ３７、プリンタをオンライン、オフライン切り換えかつ、点灯非点灯により状態表示する押しボタンスイッチ３８、設定状態を前に戻す押しボタンスイッチ４２、設定を確定する押しボタンスイッチ４３、進退操作スイッチ４４等の操作部、及び、表示部３９、電源のオン、オフ表示、アラーム表示、データイン表示等をする発光表示部４１などの表示部等が配置されていて、これら表示部、操作部を機能させるための電装品も具備している。
【００３６】
本体操作パネル１−２の裏側には本体操作パネル１−２と一体に、弾性変形可能な４つの爪１−２ａが柱状態の先端部に設けられている。図６に示すように、本体操作パネル１−２を前上カバー１−１の開口部１−１ａに装着するとき、段部４０が開口部１−１ａの縁部に形成されたリブ４５に当接して深さ方向の位置が定まり、丁度このときに、４つの爪１−２ａが弾性変形して該リブ４５の下端部に爪１−２ａが掛かり、抜け止めされて固定される。
【００３７】
本体操作パネル１−２を前上カバー１−１から外すときは、外力を加えて４つの爪１−２ａを弾性変形させてリブ４５との係合を解除してから、本体操作パネル１−２を上方に持ち上げれば抜脱することができる。
【００３８】
このように、本体操作パネル１−２は、画像形成装置本体１に対して着脱可能であり、当該画像形成装置本体１の操作を行うためのスイッチ、表示ブ等、操作機能を有している。
【００３９】
［３］増設後の状態
増設後の状態について説明する。画像形成装置本体１に付帯ユニットとして読取装置２等を増設することによりプリンタ機能だけでなく、コピー機能やＦＡＸ、スキャナ等複数の機能を有することになる。本例では、前記図２で説明したように、画像形成装置本体１に付帯ユニットとして読取装置２と後処理装置３を増設している。
【００４０】
増設に際しては、図３に示すように、Ｌ字状のラック５０が用いられ、このラック５０の上部に読取装置２が片持ち状に取り付けられ、ラックごと移動して読取装置２が画像形成装置本体１の上に位置するように配置される。また、本例では、後処理装置３も同時に増設している。なお、図２では、ラック５０は図示していないため、画像形成装置本体１の上方に読取装置２が浮いているように見えるが、両者間に若干の隙間をおいて読取装置２はラック５０に支持されている。
【００４１】
通常、増設した読取装置２にも付属操作パネル４が装備されている。この付属操作パネル４は、増設した付帯ユニット（読取装置２、後処理装置３）及び当該画像形成装置本体１の、両者の操作を行うための操作機能を有している。本例でいえば、画像形成装置本体１、読取装置２、後処理装置３等の操作機能を有している。
【００４２】
読取装置２に付属している付属操作パネル４は、画像形成装置本体１、読取装置２、後処理装置３等の操作機能を有していて、操作部と表示部でコピーやＦＡＸ、スキャナ等の機能の他、各種設定の変更や確認をすることが可能である。そのため増設前に使用していた画像形成装置本体１の操作パネル１−２は不要となり、また、そのままにしておくと、オペレータが何れのパネルで操作すべきか迷ったりする。
【００４３】
そこで、本例では、付帯ユニットを増設後は、本体操作パネル１−２を外して、前上カバー１−１における本体操作パネル１−２が装着されていたと同一箇所に、操作部及び操作部用の電装部品の装着されていない安価なカバーパネルを取付ける。つまり、本体操作パネル１−２と交換する。操作機能や表示機能を持たない、従って、高価な電装品を具備しないカバーパネルを装着するのである。
【００４４】
このように、カバーパネルは、開口部１−１ａへの取付けに関し、本体操作パネル１−２と互換性を有する。つまり、取付け用の段部４０や、爪１−２ａを具備しており、基本的には操作ボタンや電装品を持たない単純な構成の板状部材でよい。
【００４５】
このように、操作機能（電装品）を持たないカバーパネルを取付けることにより、オペレータは、操作に迷うことがなくなる。また、取り外した本体操作パネル１−２は、回収して再利用に供することができ、画像形成装置本体のコスト低減に寄与する。
【００４６】
本例では、カバーパネルを、図７に示すようなクリップケース６０として構成した。図８にその断面を示す。図７（ａ）はクリップケース６０の正面図、図７（ｂ）は下面図、図７（ｃ）は上面図、図７（ｄ）は左側面図である。また、図８（ａ）は、図７（ａ）におけるＸ―Ｘ矢視断面図、図８（ｂ）は、図７（ａ）におけるＹ―Ｙ矢視断面図である。
【００４７】
これらの図において、クリップケース６０は、前記した本体操作パネル１−２と同様に、４つの弾性変形可能な爪１−２ａ、段部４０を有しており、外形形状寸法も本体操作パネル１−２と同じに製作されているので、本体操作パネル１−２と互換性を有し、前上カバー１−１の開口部１−１ａ図６で説明したのと同様の態様で固定することが可能である。
【００４８】
図７、８に示すように、クリップケース６０の表側には凹形状部が符号６０ａ、６０ｂで示すように２つ設けてある。これは例示であり、３つ、４つ等複数設けることもできる。勿論、１つでもよい。
【００４９】
このように、凹形形状部６０ａ、６０ｂと複数設けることで、収納物を分別収納することが可能となる。
【００５０】
凹形形状部６０ａを凹形形状部６０ｂよりも大きくしてあり、凹形形状部６０ａと凹形形状部６０ｂの大きさが異なっている。凹形状部を複数個有したカバーパネル（クリップケース）において、各凹形状部の大きさをそれぞれ異ならせ、収納物の大きさによって凹形状部の大きさを決定すれば、一方の凹形状部のみ収納物で溢れるといった不具合から解消される。
【００５１】
凹形状部６０ａの底部、凹形状部６０ｂの底部にそれぞれ、収納される物体としてクリップの絵７０、ステープルの針の絵７２を記した。このように収納物の絵を記すことにより、収納物が混在すること無く確実に分別することが可能となる。なお、これらの絵は、凹形状部の底部に限らず、凹形状部の周辺であっても指示機能を有すれば足りる。クリップケース６０は樹脂でつくることができ、これらの絵はクリップケースと一体成形してもよく、コストダウンを図ることが可能となる。
【００５２】
或いは、これらの絵は、該絵が描かれたデカル（シール、ラベル）を貼っても良い。デカルであればクリップケースやステープルの針以外でも収納したいイラストをオペレータが自由に選択し、貼付することが可能であるし、無地のデカルであれば自由に書き込む込み、貼付することが可能である。
【００５３】
凹形状部やその周辺にクリップやステープルの針のイラストを配することで、画像形成装置の使用者が装置周辺で外し、置き場に困ることが多いクリップやステープルの針を分別して収納することが可能となり、再利用や破棄が分別することなく可能となる。
【００５４】
かかるクリップケースを本体操作パネルに代えて取付けることで、オペレータの操作上の混乱を防止し、本体操作パネルを再利用することができる。
【００５５】
【発明の効果】
請求項１、２記載の発明では、操作機能を持たないカバーパネルを取付けることにより、オペレータは、操作に迷うことがなくなる。また、取り外した本体操作パネルは再利用に供することができ画像形成装置本体のコスト低減に寄与する。
【００５６】
請求項３記載の発明では、電装部品が未装着で複数の凹形形状部をもつカバーパネルを装着することで、装置のコストダウンと収納物の分別収納が可能となる。
【００５７】
請求項４記載の発明は、凹形状を複数個有したカバーの各凹部の大きさをそれぞれ異ならせたことで、収納物の大きさによって凹部の大きさを決定すれば、一方の凹部のみ収納物で溢れるといった不具合から解消される。
【００５８】
請求項５記載の発明は、凹形状部又はその周辺に収納物のイラストを記したことで収納物が混在すること無く確実に分別することが可能となる。請求項６記載の発明は、絵をカバーパネルと一体成形することでコストダウンを図ることが可能となる。
【００５９】
請求項７記載の発明は、イラストが描かれたデカルをカバーに貼って配することで、凹形状への収納物を限定すること無く、顧客に合ったイラストの組み合わせを配することが可能となる。
【００６０】
請求項８記載の発明は、画像形成装置の使用者が装置周辺で外し、置き場に困ることが多いクリップやステープルの針を分別して収納することが可能となり、再利用や破棄が分別することなく可能となる。
【００６１】
請求項９記載の発明では、安価なカバーパネルを本体操作パネルに交換することが可能である。
【図面の簡単な説明】
【図１】画像形成装置本体の概略構成図である。
【図２】画像形成装置本体に読取装置及び後処理装置を増設したときの全体正面図である。
【図３】画像形成装置本体に読取装置及び後処理装置を増設したときの全体斜視図である。
【図４】図４（ａ）は前上カバー正面図、図４（ｂ）は同平面図である。
【図５】図５（ａ）は本体操作パネル１−２の正面図、図５（ｂ）は同上面図、図５（ｃ）は同下面図、図５（ｄ）は同左側面図である。
【図６】本体操作パネル或いはカバーパネルの画像形成装置本体への取り付け状態を説明した断面図である。
【図７】図７（ａ）はクリップケースの正面図、図７（ｂ）は下面図、図７（ｃ）は上面図、図７（ｄ）は左側面図である。
【図８】図８（ａ）は、図７（ａ）におけるクリップケースのＸ―Ｘ矢視断面図、図８（ｂ）は、図７（ａ）におけるクリップケースのＹ―Ｙ矢視断面図である。
【符号の説明】
１  画像形成装置本体
１−２  本体操作パネル
２  読取装置
３  後処理装置
６０  カバーパネル
【図１】
2004302118.tif 000003
【図２】
2004302118.tif 000004
【図３】
2004302118.tif 000005
【図４】
2004302118.tif 000006
【図５】
2004302118.tif 000007
【図６】
2004302118.tif 000008
【図７】
2004302118.tif 000009
【図８】
2004302118.tif 000010